(57)【要約】  空気調和システム（１）は、第１電子機器（１０）と、空気調和に用いられる複数の第２電子機器（２０）とを備える。第１電子機器（１０）は、複数の第２電子機器（２０）と通信可能な第１通信部（１１）と、確認対象の第２電子機器（２０）を示す確認対象情報を第１通信部（１１）によって複数の前記第２電子機器（２０）に送信させる制御部（１２）とを備える。複数の第２電子機器（２０）は、自機が連携する他の第２電子機器（２０）を示す連携情報を記憶する記憶部（２１）と、第１電子機器（１０）及び連携情報が示す第２電子機器（２０）と通信可能な第２通信部（２２）と、連携情報が第２通信部（２２）によって受信した確認対象情報を含むかを判定する判定部（２３）と、連携情報が確認対象情報を含むと判定した場合、自機と確認対象の第２電子機器（２０）との連携が設定されていることを通知する通知部（２４）とを備える。
2017149710.tif 000002
【特許請求の範囲】
【請求項１】
第１電子機器と、
空気調和に用いられる複数の第２電子機器と、
を備え、
前記第１電子機器は、
複数の前記第２電子機器の各々と通信が可能な第１通信部と、
確認対象の前記第２電子機器を示す確認対象情報を前記第１通信部によって複数の前記第２電子機器の各々に送信させる制御部と、を備え、
複数の前記第２電子機器の各々は、
複数の前記第２電子機器のうち、自機が連携する他の前記第２電子機器を示す連携情報を記憶する記憶部と、
前記第１電子機器及び前記連携情報が示す前記第２電子機器と通信が可能な第２通信部と、
前記記憶部に記憶している前記連携情報が前記第２通信部によって受信した前記確認対象情報を含むかを判定する判定部と、
前記判定部によって前記連携情報が前記確認対象情報を含むと判定した場合、前記自機と前記確認対象の前記第２電子機器との連携が設定されていることを通知する通知部と、
を備えることを特徴とする空気調和システム。
【請求項２】
前記第２電子機器の前記記憶部は、前記自機が設けられたエリアを示すエリア情報をさらに記憶し、
前記第１電子機器の前記制御部は、確認対象の前記エリアを示す確認エリア情報を前記第１通信部によって複数の前記第２電子機器の各々に送信させ、
前記第２電子機器の前記判定部は、前記エリア情報が前記第２通信部によって受信した前記確認エリア情報と一致するかを判定し、
前記第２電子機器の前記通知部は、前記判定部によって前記エリア情報が前記確認エリア情報と一致すると判定し、かつ前記連携情報が前記確認対象情報を含むと判定した場合、前記自機と前記確認対象の前記第２電子機器との連携が設定されていることを通知することを特徴とする請求項１に記載の空気調和システム。
【請求項３】
前記第２電子機器の前記記憶部は、前記連携情報が示す他の前記第２電子機器の機器タイプを示すタイプ情報をさらに記憶し、
前記第１電子機器の前記制御部は、確認対象の前記機器タイプを示す確認タイプ情報を前記第１通信部によって複数の前記第２電子機器の各々に送信させ、
前記第２電子機器の前記判定部は、前記タイプ情報が前記第２通信部によって受信した前記確認タイプ情報を含むかを判定し、
前記第２電子機器の前記通知部は、前記タイプ情報が前記確認タイプ情報を含むと判定した場合、前記自機と前記機器タイプの前記第２電子機器との連携が設定されていることを通知することを特徴とする請求項１または２に記載の空気調和システム。
【請求項４】
前記第２電子機器の前記記憶部は、前記自機が設けられたエリアを示すエリア情報及び前記連携情報が示す他の前記第２電子機器の機器タイプを示すタイプ情報をさらに記憶し、
前記第１電子機器の前記制御部は、確認対象の前記エリアを示す確認エリア情報及び前記機器タイプを示す確認タイプ情報を前記第１通信部によって複数の前記第２電子機器の各々に送信させ、
前記第２電子機器の前記判定部は、前記エリア情報が前記第２通信部によって受信した前記確認エリア情報と一致し、かつ前記タイプ情報が前記第２通信部によって受信した前記確認タイプ情報を含むかを判定し、
前記第２電子機器の前記通知部は、前記エリア情報が前記確認エリア情報と一致し、かつ前記タイプ情報が前記確認タイプ情報を含むと判定した場合、前記確認対象の前記エリア及び前記機器タイプが前記自機に設定されていることを通知することを特徴とする請求項１に記載の空気調和システム。
【請求項５】
前記第２電子機器は、前記記憶部、前記第２通信部、前記判定部及び前記通知部の機能を実現し、前記自機に装着されるアダプタを備え、
前記第２電子機器は、前記アダプタによって他の電子機器と通信を行うことを特徴とする請求項１から４のいずれか１項に記載の空気調和システム。
【請求項６】
第１通信部を有する第１電子機器と、記憶部と第２通信部と通知部とを有しかつ空気調和に用いられる複数の第２電子機器と、を備える空気調和システムの連携確認方法であって、
前記第２電子機器が連携する他の前記第２電子機器を示す連携情報を、複数の前記第２電子機器の各々の前記記憶部に記憶するステップと、
前記第１電子機器が確認対象の前記第２電子機器を示す確認対象情報を第１通信部によって複数の前記第２電子機器の各々に送信するステップと、
複数の前記第２電子機器の各々が、前記第２通信部によって受信した前記確認対象情報を前記連携情報が含むかを判定するステップと、
複数の前記第２電子機器のうち、前記連携情報が前記確認対象情報を含むと判定した前記第２電子機器が、前記確認対象の前記第２電子機器との連携が設定されていることを前記通知部によって通知するステップと、
を含むことを特徴とする連携確認方法。
【発明の詳細な説明】
【技術分野】
【０００１】
本発明は、複数の電子機器を連携させて空気調和を行う空気調和システム及び連携確認方法に関する。
【背景技術】
【０００２】
従来の無線システムにおける通信確立方法は、通信端末同士の接続が確立したことを通知するものがある（例えば、特許文献１）。
【先行技術文献】
【特許文献】
【０００３】
【特許文献１】特開２００７−０３６６６５号公報
【発明の概要】
【発明が解決しようとする課題】
【０００４】
しかしながら、上記従来の通信確立方法によれば、通信端末同士を実際に通信させて通信確立の確認を行わなければならない。そのため、通信機能を有する複数の電子機器を連携させる場合、実際に通信させて通信確立を確認するだけでは、複数の電子機器の連携の組み合わせを確認することが困難であった。【０００５】
本発明は、上記に鑑みてなされたものであって、複数の電子機器の連携組み合わせを容易に確認することができる空気調和システムを得ることを目的とする。
【課題を解決するための手段】
【０００６】
上述した課題を解決し、目的を達成するために、本発明に係る空気調和システムは、第１電子機器と、空気調和に用いられる複数の第２電子機器と、を備え、前記第１電子機器は、複数の前記第２電子機器の各々と通信が可能な第１通信部と、確認対象の前記第２電子機器を示す確認対象情報を前記第１通信部によって複数の前記第２電子機器の各々に送信させる制御部と、を備える。複数の前記第２電子機器の各々は、複数の前記第２電子機器のうち、自機が連携する他の前記第２電子機器を示す連携情報を記憶する記憶部と、前記第１電子機器及び前記連携情報が示す前記第２電子機器と通信が可能な第２通信部と、前記記憶部に記憶している前記連携情報が前記第２通信部によって受信した前記確認対象情報を含むかを判定する判定部と、前記連携情報が前記確認対象情報を含むと判定した場合、前記自機と前記確認対象の前記第２電子機器との連携が設定されていることを通知する通知部と、を備える。
【発明の効果】
【０００７】
本発明によれば、複数の電子機器の連携組み合わせを容易に確認することができる空気調和システムを得ることができるという効果を奏する。
【図面の簡単な説明】
【０００８】
【図１】実施の形態１に係る空気調和システムの機能概要の一例を示す図
【図２】実施の形態１に係る空気調和システムの連携確認手順の一例を示す図
【図３】実施の形態２に係る空気調和システムの連携の一例を示す図
【図４】実施の形態２に係る第１電子機器のハードウェア構成の一例を示す図
【図５】実施の形態２に係る第１電子機器のハードウェア構成の他の例を示す図
【図６】実施の形態２に係る第２電子機器のハードウェア構成の一例を示す図
【図７】実施の形態２に係る第２電子機器のハードウェア構成の他の例を示す図
【図８】実施の形態２に係る連携情報の一例を示す図
【図９】実施の形態３に係る空気調和システムの機能概要の一例を示す図
【図１０】実施の形態３に係る空気調和システムの連携確認手順の一例を示す図
【図１１】実施の形態３に係る連携情報及びエリア情報の一例を示す図
【図１２】実施の形態４に係る空気調和システムの機能概要の一例を示す図
【図１３】実施の形態４に係る空気調和システムの連携確認手順の一例を示す図
【図１４】実施の形態４に係る連携情報及びタイプ情報の一例を示す図
【図１５】実施の形態５に係る空気調和システムの機能概要の一例を示す図
【図１６】実施の形態５に係る空気調和システムの連携確認手順の一例を示す図
【図１７】実施の形態６に係る空気調和システムの連携の一例を示す図
【図１８】実施の形態６に係るアダプタのハードウェア構成の一例を示す図
【図１９】実施の形態６に係るアダプタのハードウェア構成の他の例を示す図
【発明を実施するための形態】
【０００９】
以下に、本発明の実施の形態に係る空気調和システム及び連携確認方法を図面に基づいて詳細に説明する。なお、この実施の形態によりこの発明が限定されるものではない。
【００１０】
実施の形態１．
図１は、本発明の実施の形態１に係る空気調和システムの機能概要の一例を示す図である。図１に示す空気調和システム１は、第１電子機器１０と、空気調和に用いられる複数の第２電子機器２０と、を備える。図１に示す例では、空気調和システム１が３つの第２電子機器２０を備える場合について説明するが、第２電子機器２０は３つに限定するものではなく、２つまたは３つよりも多い数の第２電子機器２０であってもよい。
【００１１】
第１電子機器１０は、例えば、操作端末を用いて実現できる。操作端末は、例えば、リモートコントロール装置、スマートフォン、携帯電話機、又は携帯型パーソナルコンピュータを含む。第１電子機器１０は、複数の第２電子機器２０の各々と通信が可能な第１通信部１１と、確認対象の第２電子機器２０を示す確認対象情報を第１通信部１１によって複数の第２電子機器２０の各々に送信させる制御部１２と、を備える。
【００１２】
第１通信部１１は、ネットワークを介して、或いは、近距離無線通信を介して、複数の第２電子機器２０との間でデータを送受信する。第１通信部１１は、制御部１２の制御によってデータを第２電子機器２０へ送信する。
【００１３】
制御部１２は、例えば、複数の第２電子機器２０の連携を確認する場合に、確認対象情報を第１通信部１１によって複数の第２電子機器２０の各々に送信させる。複数の第２電子機器２０の連携とは、複数の第２電子機器２０同士の間で情報を共有して空気調和の制御を行うように設定された関係を意味している。制御部１２は、確認対象の第２電子機器２０と連携する他の第２電子機器２０を複数の第２電子機器２０から探す場合、確認対象情報を複数の第２電子機器２０の各々に一斉にまたは機器別に送信するように、第１通信部１１を制御する。制御部１２は、確認対象の第２電子機器２０を示す確認対象情報を作成してもよい。制御部１２は、第１通信部１１によって確認対象情報を取得してもよい。
【００１４】
複数の第２電子機器２０は、例えば、１または複数の空気調和機を用いて実現できる。第２電子機器２０は、空気調和の制御を補助するダンパー、加湿器、除湿器及び補助ヒータを含む空気調和関連部材をさらに用いて実現してもよい。第２電子機器２０は、空気調和を制御するために使用する室温センサ、除湿センサ、人感センサ及び圧力センサを含むセンサ機器をさらに用いて実現してもよい。センサ機器は、空気調和機が内蔵するセンサ機器ではなく、空気調和機の外部に設けられたセンサ機器である。
【００１５】
複数の第２電子機器２０の各々は、複数の第２電子機器２０のうち、自機が連携する他の第２電子機器２０を示す連携情報２１Ａを記憶する記憶部２１と、第１電子機器１０及び連携情報２１Ａが示す第２電子機器２０と通信が可能な第２通信部２２と、を備える。また、複数の第２電子機器２０の各々は、記憶部２１に記憶している連携情報２１Ａが第２通信部２２によって受信した確認対象情報を含むかを判定する判定部２３を備える。また、複数の第２電子機器２０の各々は、連携情報２１Ａが確認対象情報を含むと判定した場合、自機と確認対象の第２電子機器２０との連携が設定されていることを通知する通知部２４を含む。
【００１６】
記憶部２１は、自機が連携する他の第２電子機器２０が設定された場合、設定された他の第２電子機器２０の識別が可能な連携情報２１Ａを記憶する。連携情報２１Ａは、例えば、アドレス、識別番号及び電話番号を含む。
【００１７】
第２通信部２２は、例えば、ネットワークを介して、又は近距離無線通信を介して、第１電子機器１０及び連携情報２１Ａが示す第２電子機器２０との間でデータを送受信する通信装置を用いて実現できる。連携情報２１Ａに１台の他の第２電子機器２０が設定されている場合、第２通信部２２は、当該１台の他の第２電子機器２０と通信が可能となる。連携情報２１Ａに複数の他の第２電子機器２０が設定されている場合、当該複数の第２電子機器２０の各々との間でデータを送受信する。
【００１８】
判定部２３は、第１電子機器１０から受信した確認対象情報が記憶部２１に記憶している連携情報２１Ａに含まれるかを判定する。例えば、連携情報２１Ａが連携する複数の第２電子機器２０を示している場合がある。判定部２３は、確認対象情報が複数の第２電子機器２０のうちの１つの第２電子機器２０を示している場合、連携情報２１Ａが確認対象情報を含むと判定する。
【００１９】
通知部２４は、判定部２３によって連携情報２１Ａが確認対象情報を含むと判定されると、自機と確認対象の第２電子機器２０との連携が設定されていることを通知する。通知部２４は、判定部２３によって連携情報２１Ａが確認対象情報を含まないと判定されると、通知を行わない。本実施の形態では、通知部２４は、例えば、音、表示、及び音と表示の組み合わせによって通知を行う場合について説明するが、これに限定されない。例えば、第２電子機器２０が空気調和機である場合、通知部２４は、運転していない第２電子機器２０を運転させることによって通知を行うようにしてもよい。
【００２０】
図２は、本発明の実施の形態１に係る空気調和システム１の連携確認手順の一例を示す図である。
【００２１】
図２に示す例では、複数の第２電子機器２０は、自機が連携する他の第２電子機器２０を示す連携情報２１Ａを記憶部２１に記憶する（ステップＳ１１）。ステップＳ１１は、例えば、第２電子機器２０の設置時またはメンテナンス時に、作業者によって連携する他の第２電子機器２０が設定されると、第２電子機器２０によって実行される。
【００２２】
第１電子機器１０は、確認対象情報を第１通信部１１によって複数の第２電子機器２０の各々に送信する（ステップＳ１２）。ステップＳ１２の処理は、例えば、作業者によって第２電子機器２０の連携確認要求を受けた場合に、第１電子機器１０によって実行される。例えば、第１電子機器１０は、複数の第２電子機器２０のうちの確認対象の第２電子機器２０が作業者によって指定されると、指定された第２電子機器２０を示す確認対象情報を作成してもよい。
【００２３】
複数の第２電子機器２０は、第２通信部２２によって第１電子機器１０から確認対象情報を受信し、受信した確認対象情報を記憶部２１に記憶する（ステップＳ１３）。複数の第２電子機器２０は、記憶部２１に記憶している連携情報２１Ａが第２通信部２２によって受信した確認対象情報を含むかを判定する（ステップＳ１４）。
【００２４】
連携情報２１Ａが確認対象情報を含んでいないと判定した場合（ステップＳ１５：Ｎｏ）、連携情報２１Ａに確認対象の第２電子機器２０が設定されていないため、複数の第２電子機器２０は、通知部２４による通知を行わずに、待機状態へ遷移する。待機状態は、例えば、第２電子機器２０が次の確認対象情報を受信可能な状態、空気調和の制御開始を待つ状態を含む。
【００２５】
連携情報２１Ａが確認対象情報を含むと判定した場合（ステップＳ１５：Ｙｅｓ）、複数の第２電子機器２０は、自機と確認対象の他の第２電子機器２０との連携が設定されていることを通知部２４によって通知する（ステップＳ１６）。複数の第２電子機器２０は、通知部２４による通知が終了すると、上記の待機状態へ遷移する。
【００２６】
なお、図２に示す連携確認手順では、ステップＳ１１で連携情報２１Ａを記憶部２１に記憶する場合について説明したが、これに限定されない。連携確認手順は、例えば、メンテナンスで連携情報２１Ａを記憶部２１に記憶する必要がない場合、ステップＳ１２の処理手順から動作させてもよい。
【００２７】
以上のように、本実施の形態の空気調和システム１において、第１電子機器１０は、複数の第２電子機器２０の各々に確認対象情報を送信すると、複数の第２電子機器２０のうち、連携情報２１Ａが確認対象情報を含んでいる第２電子機器２０のみが通知を行う。また、連携情報２１Ａが確認対象情報を含んでいない第２電子機器２０は、通知を行わない。これにより、第１電子機器１０を所持している作業者は、第２電子機器２０の設置の際に、またはメンテナンスの際に、確認対象の第２電子機器２０を示す確認対象情報を受信した第２電子機器２０が通知を行うか否かに基づいて、第２電子機器２０が確認対象であるか否かを確認することができる。よって、空気調和システム１は、複数の第２電子機器２０の連携組み合わせを容易に確認することができるので、確認作業の効率を向上させることができる。さらに、確認対象の第２電子機器２０が他の複数の第２電子機器２０と連携している場合、作業者は、第１電子機器１０から１つの確認対象情報を送信させるだけで、連携する複数の第２電子機器２０を確認することができるため、確認作業を効率的に実施することができる。
【００２８】
実施の形態２．
実施の形態２に係る空気調和システム１について説明する。実施の形態１の空気調和システム１は、第１電子機器１０と複数の第２電子機器２０との機能を把握できるようにしたものである。実施の形態２は、空気調和システム１のハードウェア構成と、複数の第２電子機器２０の連携との一例を示したものである。以下の説明においては、同様の構成要素に同一の符号を付し、重複する説明は省略することがある。
【００２９】
図３は、本発明の実施の形態２に係る空気調和システム１の連携の一例を示す図である。図３に示す空気調和システム１は、第１電子機器１０である操作端末１００と、第２電子機器２０である空気調和機２２１、空気調和機２２２、加湿器２２３、室温センサ２２４、室温センサ２２５及び湿度センサ２２６とを備える。操作端末１００は、作業者が携帯する携帯電子機器である。空気調和機２２１及び２２２は、設置された空間の空気を調和する。室温センサ２２４及び２２５は、空気調和機２２１及び２２２の制御に用いられる。加湿器２２３は、設置された空間を加湿する。湿度センサ２２６は、加湿器２２３の制御に用いられる。
【００３０】
図３に示す例では、空気調和システム１は、空気調和機２２１と室温センサ２２４とが連携し、空気調和機２２２と室温センサ２２５とが連携し、加湿器２２３と湿度センサ２２６とが連携している。また、空気調和システム１は、空気調和機２２１と空気調和機２２２とが連携し、空気調和機２２１と加湿器２２３とが連携している。これにより、空気調和システム１は、空気調和機２２１及び２２２と、加湿器２２３と、室温センサ２２４及び２２５と、湿度センサ２２６とが連携して空気調和を行っている。
【００３１】
図４は、本発明の実施の形態２に係る第１電子機器１０のハードウェア構成の一例を示す図である。図４に示す例では、操作端末１００は、実施の形態１で説明した第１電子機器１０が備える機能を実現する第１のハードウェアを有する。第１のハードウェアは、例えば、プロセッサ１０１と、ＲＡＭ（Random  Access  Memory）、ＲＯＭ（Read  Only  Memory）などで構成されるメモリ１０２と、通信装置１０３とを含む構成により実現することができる。プロセッサ１０１、メモリ１０２及び通信装置１０３は、バス１１０に接続され、バス１１０を介してデータの受け渡しを相互に行うことが可能な構成となっている。なお、図４に示す構成は、本発明に係るハードウェア構成のみを示している。
【００３２】
プロセッサ１０１は、第１電子機器１０の制御部１２を実現する。制御部１２の機能は、ソフトウェア、ファームウェア、またはソフトウェアとファームウェアとの組み合わせにより実現される。ソフトウェア及びファームウェアは、プログラムとして記述され、メモリ１０２に記憶している。例えば、プロセッサ１０１は、メモリ１０２のプログラムを実行することにより、制御部１２の機能を実現する。通信装置１０３は、第１電子機器１０の第１通信部１１を実現する。
【００３３】
図５は、本発明の実施の形態２に係る第１電子機器１０のハードウェア構成の他の例を示す図である。図４に示した第１のハードウェアは、図５に示す第１の専用ハードウェアで実現してもよい。第１の専用ハードウェアは、例えば、処理回路１１１と、通信装置１０３とを含む構成により実現することができる。処理回路１１１は、例えば、単一回路、複合回路、プログラム化したプロセッサ、並列プログラム化したプロセッサ、ＡＳＩＣ（Application  Specific  Integrated  Circuit）、ＦＰＧＡ（Field-Programmable  Gate  Array）またはこれらを組み合わせたものを含む。処理回路１１１及び通信装置１０３は、バス１１０に接続され、バス１１０を介してデータの受け渡しを相互に行うことが可能な構成となっている。処理回路１１１は、第１電子機器１０の制御部１２を実現する。なお、処理回路１１１は、例えば、通信装置１０３を内蔵してもよい。
【００３４】
図６は、本発明の実施の形態２に係る第２電子機器２０のハードウェア構成の一例を示す図である。空気調和機２２１、空気調和機２２２、加湿器２２３、室温センサ２２４、室温センサ２２５及び湿度センサ２２６の各々は、実施の形態１で説明した第２電子機器２０が備える機能を実現する第２のハードウェアを有する。第２のハードウェアは、例えば、プロセッサ２０１と、ＲＡＭ、ＲＯＭなどで構成されるメモリ２０２と、通信装置２０３と、出力装置２０４とを含む構成により実現することができる。プロセッサ２０１、メモリ２０２、通信装置２０３及び出力装置２０４は、バス２１０に接続され、バス２１０を介してデータの受け渡しを相互に行うことが可能な構成となっている。なお、図６に示す構成は、本発明に係るハードウェア構成のみを示している。
【００３５】
空気調和機２２１、空気調和機２２２、加湿器２２３、室温センサ２２４、室温センサ２２５及び湿度センサ２２６のプロセッサ２０１は、第２電子機器２０の判定部２３を実現する。判定部２３の機能は、ソフトウェア、ファームウェア、またはソフトウェアとファームウェアとの組み合わせにより実現される。ソフトウェア及びファームウェアは、プログラムとして記述され、メモリ２０２に記憶している。例えば、プロセッサ２０１は、メモリ２０２のプログラムを実行することにより、判定部２３の機能を実現する。メモリ２０２は、第２電子機器２０の記憶部２１を実現する。通信装置２０３は、第２電子機器２０の第２通信部２２を実現する。出力装置２０４は、第２電子機器２０の通知部２４を実現する。本実施の形態では、出力装置２０４は、作業者から視認可能なＬＥＤである場合について説明する。ＬＥＤである出力装置２０４は、点灯または点滅により、通知を行う。なお、出力装置２０４は、例えば、ＬＥＤ、液晶ディスプレイ及びブザーの少なくとも１つを含むように構成してもよい。
【００３６】
なお、複数のプロセッサおよび複数のメモリが連携して第１電子機器１０及び第２電子機器２０が備えている機能を実現するようにしてもよい。
【００３７】
図７は、本発明の実施の形態２に係る第２電子機器２０のハードウェア構成の他の例を示す図である。図６に示した第２のハードウェアは、図７に示す第２の専用ハードウェアで実現してもよい。第２の専用ハードウェアは、例えば、処理回路２１１と、通信装置２０３と、出力装置２０４とを含む構成により実現することができる。処理回路２１１は、例えば、単一回路、複合回路、プログラム化したプロセッサ、並列プログラム化したプロセッサ、ＡＳＩＣ、ＦＰＧＡまたはこれらを組み合わせたものを含む。処理回路２１１、通信装置２０３、出力装置２０４は、バス２１０に接続され、バス２１０を介してデータの受け渡しを相互に行うことが可能な構成となっている。処理回路２１１は、メモリを内蔵している。処理回路２１１は、第２電子機器２０の記憶部２１及び判定部２３を実現する。なお、処理回路２１１は、例えば、通信装置２０３を内蔵してもよい。
【００３８】
図８は、実施の形態２に係る連携情報２１Ａの一例を示す図である。図８に示す例では、空気調和機２２１、空気調和機２２２、加湿器２２３、室温センサ２２４、室温センサ２２５及び湿度センサ２２６の連携情報２１Ａは、連携する他の電子機器のアドレスを有する場合を示している。連携情報２１Ａは、メモリ２０２に記憶されている。
【００３９】
空気調和機２２１、空気調和機２２２、加湿器２２３、室温センサ２２４、室温センサ２２５及び湿度センサ２２６は、例えば、「ＡＤ２１」、「ＡＤ２２」、「ＡＤ２３」、「ＡＤ２４」、「ＡＤ２５」及び「ＡＤ２６」の自機アドレスが設定されている。自機アドレスは、メモリ２０２に記憶されている。空気調和機２２１の連携情報２１Ａは、空気調和機２２２、加湿器２３及び室温センサ２２４のアドレスである「ＡＤ２２」、「ＡＤ２３」及び「ＡＤ２４」の情報が設定されている。空気調和機２２２の連携情報２１Ａは、空気調和機２２１及び室温センサ２２５のアドレスである「ＡＤ２１」及び「ＡＤ２５」の情報が設定されている。加湿器２２３の連携情報２１Ａは、空気調和機２２１及び湿度センサ２２６のアドレスである「ＡＤ２１」及び「ＡＤ２６」の情報が設定されている。室温センサ２２４の連携情報２１Ａは、空気調和機２２１のアドレスである「ＡＤ２１」の情報が設定されている。室温センサ２２５の連携情報２１Ａは、空気調和機２２２のアドレスである「ＡＤ２２」の情報が設定されている。湿度センサ２２６の連携情報２１Ａは、加湿器２２３のアドレスである「ＡＤ２３」の情報が設定されている。
【００４０】
図８に示すように、複数の第２電子機器２０の連携が設定されている空気調和システム１の動作の一例を以下に説明する。
【００４１】
例えば、室温センサ２２４と連携する第２電子機器２０を探したい場合、作業者は、室温センサ２２４のアドレスである「ＡＤ２４」を指定して操作端末１００に連携確認を要求する。操作端末１００のプロセッサ１０１は、連携確認の要求を検出すると、「ＡＤ２４」を有する確認対象情報を作成する。プロセッサ１０１は、作成した確認対象情報を通信装置１０３によって空気調和機２２１、空気調和機２２２、加湿器２２３、室温センサ２２４、室温センサ２２５及び湿度センサ２２６に送信させる。
【００４２】
空気調和機２２１、空気調和機２２２、加湿器２２３、室温センサ２２４、室温センサ２２５及び湿度センサ２２６のプロセッサ２０１は、通信装置２０３によって操作端末１００から確認対象情報を受信すると、受信した確認対象情報をメモリ２０２に記憶する。プロセッサ２０１は、メモリ２０２に記憶している連携情報２１Ａが確認対象情報を含むか否かを判定する。
【００４３】
図８に示す例では、空気調和機２２１の連携情報２１Ａは「ＡＤ２４」を含み、他の連携情報２１Ａは「ＡＤ２４」を含んでいない。空気調和機２２１のプロセッサ２０１は、連携情報２１Ａが確認対象情報の「ＡＤ２４」を含むと判定し、自機と確認対象の室温センサ２２４との連携が設定されていることを出力装置２０４によって通知する。また、空気調和機２２２、加湿器２２３、室温センサ２２４、室温センサ２２５及び湿度センサ２２６のプロセッサ２０１は、連携情報２１Ａが確認対象情報の「ＡＤ２４」を含まないと判定し、出力装置２０４による通知を行わない。
【００４４】
以上のように、空気調和システム１は、室温センサ２２４と連携する空気調和機２２１の出力装置２０４のみで通知を行うことができる。よって、作業者は、室温センサ２２４と連携する第２電子機器２０が空気調和機２２１のみであることを容易に確認することができるので、確認作業の効率的に実施することができる。
【００４５】
実施の形態３．
実施の形態３に係る空気調和システム１について説明する。実施の形態２の空気調和システム１は、連携情報２１Ａのアドレスに基づいて連携関係を確認する場合について説明したものである。実施の形態３の空気調和システム１は、第２電子機器２０のアドレスに異なるパラメータを付加して第２電子機器２０の連携を確認する一例を示したものである。
【００４６】
実施の形態３の空気調和システム１は、連携を確認するための機能が異なる点を除いて、実施の形態１及び２の空気調和システム１と同様の構成を有するため、同様の構成についての説明は省略し、異なる構成について説明する。
【００４７】
図９は、本発明の実施の形態３に係る空気調和システムの機能概要の一例を示す図である。図９に示す空気調和システム１は、第１電子機器１０と、空気調和に用いられる複数の第２電子機器２０と、を備える。
【００４８】
第１電子機器１０は、第１通信部１１と、制御部１２と、を備える。制御部１２は、確認対象の第２電子機器２０が設けられたエリアを示す確認エリア情報を、第１通信部１１によって複数の第２電子機器２０の各々に送信させる。エリアは、例えば、空気調和システム１を設置する場所が住宅である場合、リビング、寝室、台所、風呂場及び子供部屋を含む。エリアは、例えば、１つの部屋または領域を区分した複数の区分領域であってもよい。制御部１２は、確認対象情報及び確認エリア情報を第１通信部１１に同時に送信させてもよい。
【００４９】
複数の第２電子機器２０の各々は、記憶部２１と、第２通信部２２と、判定部２３と、通知部２４と、を備える。記憶部２１は、自機が設けられたエリアを示すエリア情報２１Ｂを記憶する。記憶部２１は、自機が設置されたエリアが設定された場合、エリア情報２１Ｂを記憶し、エリアが設定されなかった場合、エリア情報２１Ｂを記憶しない。エリア情報２１Ｂは、連携情報２１Ａと紐付けられている。
【００５０】
判定部２３は、記憶部２１に記憶しているエリア情報２１Ｂが第２通信部２２によって受信した確認エリア情報と一致するかを判定する。例えば、エリア情報２１Ｂに「リビング」が設定され、確認エリア情報に「リビング」が設定されている場合、判定部２３は、エリア情報２１Ｂが確認エリア情報と一致すると判定する。
【００５１】
通知部２４は、判定部２３によってエリア情報２１Ｂが確認エリア情報と一致すると判定し、かつ連携情報２１Ａが前記確認対象情報を含むと判定した場合、自機と確認対象の第２電子機器２０との連携が設定されていることを通知する。また、通知部２４は、判定部２３によってエリア情報２１Ｂが確認エリア情報と一致していないと判定した場合、通知を行わない。
【００５２】
図１０は、本発明の実施の形態３に係る空気調和システム１の連携確認手順の一例を示す図である。
【００５３】
図１０に示す例では、複数の第２電子機器２０は、自機が設けられたエリアを示すエリア情報を記憶部２１に記憶する（ステップＳ２１）。複数の第２電子機器２０は、自機が連携する他の第２電子機器２０を示す連携情報２１Ａを記憶部２１に記憶する（ステップＳ２２）。ステップＳ２１及びＳ２２の処理は、例えば、第２電子機器２０の設置時またはメンテナンス時に、第２電子機器２０によって実行される。
【００５４】
第１電子機器１０は、確認対象情報及び確認エリア情報を第１通信部１１によって複数の第２電子機器２０の各々に送信する（ステップＳ２３）。ステップＳ２３の処理は、例えば、作業者によって第２電子機器２０の連携確認要求を受けた場合に、第１電子機器１０によって実行される。例えば、第１電子機器１０は、確認対象のエリア及び複数の第２電子機器２０のうちの確認対象の第２電子機器２０が作業者によって指定されると、指定された第２電子機器２０を示す確認対象情報を作成してもよい。
【００５５】
複数の第２電子機器２０は、第２通信部２２によって第１電子機器１０から確認対象情報及び確認エリア情報を受信し、受信した確認対象情報及び確認エリア情報を記憶部２１に記憶する（ステップＳ２４）。複数の第２電子機器２０は、記憶部２１に記憶しているエリア情報２１Ｂが第２通信部２２によって受信した確認エリア情報と一致するかを判定する（ステップＳ２５）。
【００５６】
エリア情報２１Ｂが確認エリア情報と一致していないと判定した場合（ステップＳ２６：Ｎｏ）、確認対象のエリアではないため、複数の第２電子機器２０は、通知部２４による通知を行わずに、待機状態へ遷移する。
【００５７】
エリア情報２１Ｂが確認エリア情報と一致していると判定した場合（ステップＳ２６：Ｙｅｓ）、複数の第２電子機器２０は、記憶部２１に記憶している連携情報２１Ａが第２通信部２２によって受信した確認対象情報を含むかを判定する（ステップＳ２７）。
【００５８】
連携情報２１Ａが確認対象情報を含んでいないと判定した場合（ステップＳ２８：Ｎｏ）、連携情報２１Ａに確認対象の第２電子機器２０が設定されていないため、複数の第２電子機器２０は、通知部２４による通知を行わずに、待機状態へ遷移する。
【００５９】
連携情報２１Ａが確認対象情報を含むと判定した場合（ステップＳ２８：Ｙｅｓ）、複数の第２電子機器２０は、自機と確認対象の他の第２電子機器２０との連携が設定されていることを通知部２４によって通知する（ステップＳ２９）。複数の第２電子機器２０は、通知部２４による通知が終了すると、上記の待機状態へ遷移する。
【００６０】
なお、図１０に示す連携確認手順は、例えば、メンテナンス時の連携確認であり、初期設定が終了している場合、空気調和システム１は、ステップＳ２３の処理手順から開始してもよい。
【００６１】
以上のように、本実施の形態の空気調和システム１において、複数の第２電子機器２０のうち、確認対象のエリアに設けられ、かつ連携情報２１Ａが確認対象情報を含んでいる第２電子機器２０は、通知を行う。また、確認対象のエリアに設けられていない第２電子機器２０は、通知を行わない。これにより、作業者は、第２電子機器２０を設置したエリア毎に、第２電子機器２０が確認対象であるか否かを確認することができる。よって、空気調整システム１は、例えば、複数のエリアに跨がって複数の第２電子機器２０を設けている場合、エリア区分で連携する第２電子機器２０を確認することができるため、確認作業の効率化に貢献することができる。
【００６２】
実施の形態３に係る空気調和システム１は、実施の形態２と同様に、第１電子機器１０である操作端末１００と、第２電子機器２０である空気調和機２２１、空気調和機２２２、加湿器２２３、室温センサ２２４、室温センサ２２５及び湿度センサ２２６とを備えるように構成することができる。
【００６３】
実施の形態３に係る空気調和システム１は、空気調和機２２１、空気調和機２２２、加湿器２２３、室温センサ２２４、室温センサ２２５及び湿度センサ２２６のメモリ２０２は、例えば、図３に示した連携関係を示す連携情報２１Ａ及びエリア情報２１Ｂを記憶している。
【００６４】
図１１は、実施の形態３に係る連携情報２１Ａ及びエリア情報２１Ｂの一例を示す図である。実施の形態３では、空気調和機２２１、加湿器２２３、室温センサ２２４及び湿度センサ２２６はリビングに設けられ、空気調和機２２２及び室温センサ２２５は寝室に設けられている。なお、連携情報２１Ａについては、実施の形態２と同一であるため、説明は省略する。
【００６５】
図１１に示す例では、空気調和機２２１、加湿器２２３、室温センサ２２４及び湿度センサ２２６のエリア情報２１Ｂは、自機がリビングに設けられたことを示す「リビング」の情報が設定されている。空気調和機２２２及び室温センサ２２５のエリア情報２１Ｂは、自機が寝室に設けられたことを示す「寝室」の情報が設定されている。
【００６６】
実施の形態３に係る空気調和システム１の動作の一例を以下に説明する。
【００６７】
例えば、「リビング」というエリア区分で、空気調和機２２１と連携する第２電子機器２０を探したい場合、作業者は、確認対象のエリアである「リビング」と、空気調和機２２１のアドレスである「ＡＤ２１」を指定して操作端末１００に連携確認を要求する。操作端末１００のプロセッサ１０１は、連携確認の要求を検出すると、「ＡＤ２１」を有する確認対象情報及び「リビング」を示す確認エリア情報を作成する。プロセッサ１０１は、作成した確認対象情報及び確認エリア情報を通信装置１０３によって空気調和機２２１、空気調和機２２２、加湿器２２３、室温センサ２２４、室温センサ２２５及び湿度センサ２２６に送信させる。
【００６８】
空気調和機２２１、空気調和機２２２、加湿器２２３、室温センサ２２４、室温センサ２２５及び湿度センサ２２６のプロセッサ２０１は、通信装置２０３によって操作端末１００から確認対象情報及び確認エリア情報を受信すると、受信した確認対象情報及び確認エリア情報をメモリ２０２に記憶する。プロセッサ２０１は、メモリ２０２に記憶しているエリア情報２１Ｂが確認エリア情報と一致するかを判定する。
【００６９】
図１１に示す例では、空気調和機２２１、加湿器２２３、室温センサ２２４及び湿度センサ２２６のエリア情報２１Ｂは「リビング」を示し、他の電子機器のエリア情報２１Ｂは「リビング」を示していない。空気調和機２２１、加湿器２２３、室温センサ２２４及び湿度センサ２２６のプロセッサ２０１は、エリア情報２１Ｂが確認エリア情報と一致すると判定する。また、空気調和機２２２及び室温センサ２２５のプロセッサ２０１は、エリア情報２１Ｂが確認エリア情報と一致しないと判定し、出力装置２０４による通知を行わない。
【００７０】
エリア情報２１Ｂが確認エリア情報と一致すると判定した場合、空気調和機２２１、加湿器２２３、室温センサ２２４及び湿度センサ２２６のプロセッサ２０１は、メモリ２０２に記憶している連携情報２１Ａが確認対象情報を含むか否かを判定する。
【００７１】
図１１に示す例では、リビングに設けられた第２電子機器２０のうち、加湿器２２３及び室温センサ２２４の連携情報２１Ａは「ＡＤ２１」を含み、空気調和機２２１及び湿度センサ２２６の連携情報２１Ａは「ＡＤ２１」を含んでいない。加湿器２２３及び室温センサ２２４のプロセッサ２０１は、連携情報２１Ａが確認対象情報の「ＡＤ２１」を含むと判定し、自機と確認対象の空気調和機２２１との連携が設定されていることを出力装置２０４によって通知する。また、空気調和機２２１及び湿度センサ２２６のプロセッサ２０１は、連携情報２１Ａが確認対象情報の「ＡＤ２１」を含まないと判定し、出力装置２０４による通知を行わない。
【００７２】
以上のように、空気調和システム１は、リビングに設けられた加湿器２２３及び室温センサ２２４の出力装置２０４のみで、空気調和機２２１と連携していることを通知することができる。よって、作業者は、空気調和機２２１と連携する電子機器が、リビングに設けられた加湿器２２３及び室温センサ２２４であることを容易に確認することができるので、エリア毎に確認作業を実施することができる。
【００７３】
実施の形態４．
実施の形態４に係る空気調和システム１について説明する。実施の形態２の空気調和システム１は、連携情報２１Ａのアドレスに基づいて連携関係を確認する場合について説明したものである。実施の形態４の空気調和システム１は、第２電子機器２０のアドレスとは異なるパラメータで第２電子機器２０の連携を確認する一例を示したものである。
【００７４】
実施の形態４の空気調和システム１は、連携を確認するための機能が異なる点を除いて、実施の形態１及び２の空気調和システム１と同様の構成を有するため、同様の構成についての説明は省略し、異なる構成について説明する。
【００７５】
図１２は、本発明の実施の形態４に係る空気調和システムの機能概要の一例を示す図である。図１２に示す空気調和システム１は、第１電子機器１０と、空気調和に用いられる複数の第２電子機器２０と、を備える。
【００７６】
第１電子機器１０は、第１通信部１１と、制御部１２と、を備える。制御部１２は、確認対象の第２電子機器２０の機器タイプを示す確認タイプ情報を、第１通信部１１によって複数の第２電子機器２０の各々に送信させる。機器タイプは、複数の第２電子機器２０の種類を示す。機器タイプは、例えば、空気調和機、空気調和関連部材及びセンサ機器を含む。機器タイプは、例えば、空気調和機、ダンパー、加湿器、除湿器、補助ヒータ、室温センサ、除湿センサ、人感センサ及び圧力センサを含んでもよい。制御部１２は、確認対象情報及び確認タイプ情報を第１通信部１１に同時に送信させてもよい。
【００７７】
複数の第２電子機器２０の各々は、記憶部２１と、第２通信部２２と、判定部２３と、通知部２４と、を備える。記憶部２１は、連携情報２１Ａが示す他の第２電子機器２０の機器タイプを示すタイプ情報２１Ｃを記憶する。記憶部２１は、連携情報２１Ａが示す他の第２電子機器２０の機器タイプが設定された場合、設定された機器タイプを示すタイプ情報２１Ｃを連携情報２１Ａに紐付けて記憶する。記憶部２１は、連携情報２１Ａが示す他の第２電子機器２０の機器タイプが設定されなかった場合、タイプ情報２１Ｃを記憶しない。
【００７８】
判定部２３は、記憶部２１に記憶しているタイプ情報２１Ｃが第２通信部２２によって受信した確認タイプ情報を含むかを判定する。例えば、タイプ情報２１Ｃに「空気調和機」が１または複数設定され、確認タイプ情報に「空気調和機」が設定されている場合、判定部２３は、タイプ情報２１Ｃが確認タイプ情報を含むと判定する。
【００７９】
通知部２４は、判定部２３によってタイプ情報２１Ｃが確認タイプ情報を含むと判定した場合、自機と確認対象の機器タイプの第２電子機器２０との連携が設定されていることを通知する。また、通知部２４は、判定部２３によってタイプ情報２１Ｃが確認タイプ情報を含まないと判定した場合、通知を行わない。
【００８０】
図１３は、本発明の実施の形態４に係る空気調和システム１の連携確認手順の一例を示す図である。
【００８１】
図１３に示す例では、複数の第２電子機器２０は、連携情報２１Ａが示す他の第２電子機器２０の機器タイプを示すタイプ情報２１Ｃを記憶部２１に記憶する（ステップＳ３１）。ステップＳ３１の処理は、例えば、第２電子機器２０の設置時またはメンテナンス時に、第２電子機器２０によって実行される。
【００８２】
第１電子機器１０は、確認タイプ情報を第１通信部１１によって複数の第２電子機器２０の各々に送信する（ステップＳ３２）。ステップＳ３２の処理は、例えば、作業者によって第２電子機器２０の連携確認要求を受けた場合に、第１電子機器１０によって実行される。例えば、第１電子機器１０は、確認対象の機器タイプが作業者によって指定されると、指定された機器タイプを示す確認タイプ情報を作成してもよい。
【００８３】
複数の第２電子機器２０は、第２通信部２２によって第１電子機器１０から確認タイプ情報を受信し、受信した確認タイプ情報を記憶部２１に記憶する（ステップＳ３３）。複数の第２電子機器２０は、記憶部２１に記憶しているタイプ情報２１Ｃが第２通信部２２によって受信した確認タイプ情報を含むかを判定する（ステップＳ３４）。
【００８４】
確認タイプ情報を含まないと判定した場合（ステップＳ３５：Ｎｏ）、確認対象の機器タイプが自機に設定されていないため、複数の第２電子機器２０は、通知部２４による通知を行わずに、待機状態へ遷移する。
【００８５】
確認タイプ情報を含むと判定した場合（ステップＳ３５：Ｙｅｓ）、複数の第２電子機器２０は、確認対象の機器タイプが自機に設定されていることを通知部２４によって通知する（ステップＳ３６）。複数の第２電子機器２０は、通知部２４による通知が終了すると、上記の待機状態へ遷移する。
【００８６】
なお、図１３に示す連携確認手順は、例えば、メンテナンス時の連携確認であり、初期設定が終了している場合、空気調和システム１は、ステップＳ３３の処理手順から開始してもよい。
【００８７】
以上のように、本実施の形態の空気調和システム１において、複数の第２電子機器２０のうち、タイプ情報２１Ｃが確認タイプ情報を含んでいる第２電子機器２０は、通知を行う。また、タイプ情報２１Ｃが確認タイプ情報を含んでいない第２電子機器２０は、通知を行わない。これにより、作業者は、確認対象の第２電子機器２０の機器タイプを指定することで、機器タイプに基づいて連携する第２電子機器２０を確認することができる。よって、空気調整システム１は、例えば、複数のエリアに跨がって複数の第２電子機器２０を設けている場合、機器タイプの区分で連携する第２電子機器２０を確認することができるため、確認作業の効率化に貢献することができる。
【００８８】
実施の形態４に係る空気調和システム１は、実施の形態２と同様に、第１電子機器１０である操作端末１００と、第２電子機器２０である空気調和機２２１、空気調和機２２２、加湿器２２３、室温センサ２２４、室温センサ２２５及び湿度センサ２２６とを備えるように構成することができる。
【００８９】
実施の形態４に係る空気調和システム１は、空気調和機２２１、空気調和機２２２、加湿器２２３、室温センサ２２４、室温センサ２２５及び湿度センサ２２６のメモリ２０２は、例えば、図３に示した連携関係を示す連携情報２１Ａ及びタイプ情報２１Ｃを記憶している。
【００９０】
図１４は、実施の形態４に係る連携情報２１Ａ及びタイプ情報２１Ｃの一例を示す図である。実施の形態４では、連携情報２１Ａのアドレスと、タイプ情報２１Ｃの機器タイプとが紐付けられている。
【００９１】
図１４に示す例では、空気調和機２２１の連携情報２１Ａに「ＡＤ２２」、「ＡＤ２３」及び「ＡＤ２４」が設定されている場合、タイプ情報２１Ｃは、「空気調和機」、「加湿器」及び「室温センサ」を示す情報が設定されている。また、空気調和機２２２の連携情報２１Ａに「ＡＤ２１」及び「ＡＤ２５」が設定されている場合、タイプ情報２１Ｃは、「空気調和機」及び「室温センサ」を示す情報が設定されている。また、加湿器２２３の連携情報２１Ａに「ＡＤ２１」及び「ＡＤ２６」が設定されている場合、タイプ情報２１Ｃは、「空気調和機」及び「湿度センサ」を示す情報が設定されている。また、室温センサ２２４の連携情報２１Ａに「ＡＤ２１」が設定されている場合、タイプ情報２１Ｃは、「空気調和機」を示す情報が設定されている。また、室温センサ２２５の連携情報２１Ａに「ＡＤ２２」が設定されている場合、タイプ情報２１Ｃは、「空気調和機」を示す情報が設定されている。また、湿度センサ２２６の連携情報２１Ａに「ＡＤ２３」が設定されている場合、タイプ情報２１Ｃは、「加湿器」を示す情報が設定されている。
【００９２】
実施の形態４に係る空気調和システム１の動作の一例を以下に説明する。
【００９３】
例えば、「空気調和機」の連携を確認したい場合、作業者は、確認対象の機器タイプである「空気調和機」を指定して操作端末１００に連携確認を要求する。操作端末１００のプロセッサ１０１は、連携確認の要求を検出すると、「空気調和機」を示す確認タイプ情報を作成する。プロセッサ１０１は、作成した確認タイプ情報を通信装置１０３によって空気調和機２２１、空気調和機２２２、加湿器２２３、室温センサ２２４、室温センサ２２５及び湿度センサ２２６に送信させる。
【００９４】
空気調和機２２１、空気調和機２２２、加湿器２２３、室温センサ２２４、室温センサ２２５及び湿度センサ２２６のプロセッサ２０１は、通信装置２０３によって操作端末１００から確認タイプ情報を受信すると、受信した確認タイプ情報をメモリ２０２に記憶する。プロセッサ２０１は、メモリ２０２に記憶しているタイプ情報２１Ｃが確認タイプ情報を含むか否かを判定する。
【００９５】
図１４に示す例では、空気調和機２２１、空気調和機２２２、加湿器２２３、室温センサ２２４及び室温センサ２２５のタイプ情報２１Ｃは「空気調和機」を含み、湿度センサ２２６のタイプ情報２１Ｃは「空気調和機」を含んでいない。空気調和機２２１、空気調和機２２２、加湿器２２３、室温センサ２２４及び室温センサ２２５のプロセッサ２０１は、タイプ情報２１Ｃが確認タイプ情報の「空気調和機」を含むと判定し、確認対象の機器タイプが自機に設定されていることを出力装置２０４によって通知する。また、湿度センサ２２６のプロセッサ２０１は、タイプ情報２１Ｃが確認タイプ情報の「空気調和機」を含まないと判定し、出力装置２０４による通知を行わない。
【００９６】
以上のように、空気調和システム１は、タイプ情報２１Ｃが「空気調和機」を含む空気調和機２２１、空気調和機２２２、加湿器２２３、室温センサ２２４及び室温センサ２２５が、空気調和機２２１または空気調和機２２２と連携するように設定されていることを通知することができる。よって、作業者は、「空気調和機」という機器タイプの区分で、空気調和機２２１または空気調和機２２２と連携する電子機器を容易に確認することができるので、空気調和システム１は、確認作業の効率化に貢献することができる。
【００９７】
なお、実施の形態４では、空気調和システム１は、２台の空気調和機２２１及び２２２を備えているが、空気調和機２２１及び２２２を区別する場合は、例えば、機器タイプを「第１空気調和機」と「第２空気調和機」と設定すればよい。
【００９８】
実施の形態５．
実施の形態４の空気調和システム１は、機器タイプに基づいて連携する電子機器を確認するものである。実施の形態５の空気調和システム１は、実施の形態３及び４を組み合わせ、エリア名称と機器タイプに基づいて連携する第２電子機器２０を確認できるようにしたものである。
【００９９】
実施の形態５の空気調和システム１は、連携を確認するための機能が異なる点を除いて、実施の形態１及び２の空気調和システム１と同様の構成を有するため、同一の構成についての説明は省略し、異なる構成について説明する。
【０１００】
図１５は、本発明の実施の形態５に係る空気調和システム１の機能概要の一例を示す図である。図１５に示す空気調和システム１は、第１電子機器１０と、空気調和に用いられる複数の第２電子機器２０と、を備える。
【０１０１】
実施の形態５に係る空気調和システム１は、第１電子機器１０と、空気調和に用いられる複数の第２電子機器２０と、を備える。第１電子機器１０は、第１通信部１１と、制御部１２と、を備える。制御部１２は、確認対象のエリアを示す確認エリア情報及び機器タイプを示す確認タイプ情報を第１通信部１１によって複数の第２電子機器２０の各々に送信させる。
【０１０２】
複数の第２電子機器２０の各々は、記憶部２１と、第２通信部２２と、判定部２３と、通知部２４と、を備える。記憶部２１は、連携情報２１Ａとエリア情報２１Ｂとタイプ情報２１Ｃとを記憶している。エリア情報２１Ｂとタイプ情報２１Ｃとは、紐付けられている。
【０１０３】
判定部２３は、エリア情報２１Ｂが第２通信部２２によって受信した確認エリア情報と一致し、かつタイプ情報２１Ｃが第２通信部２２によって受信した確認タイプ情報と一致するかを判定する。通知部２４は、エリア情報２１Ｂが確認エリア情報と一致し、かつタイプ情報２１Ｃが確認タイプ情報を含むと判定した場合、確認対象のエリア及び機器タイプが自機に設定されていることを通知する。
【０１０４】
図１６は、本発明の実施の形態５に係る空気調和システム１の連携確認手順の一例を示す図である。
【０１０５】
図１６に示す例では、複数の第２電子機器２０は、自機が設けられたエリアを示すエリア情報を記憶部２１に記憶する（ステップＳ４１）。複数の第２電子機器２０は、連携情報２１Ａが示す他の第２電子機器２０の機器タイプを示すタイプ情報２１Ｃを記憶部２１に記憶する（ステップＳ４２）。
【０１０６】
第１電子機器１０は、確認エリア情報及び確認タイプ情報を第１通信部１１によって複数の第２電子機器２０の各々に送信する（ステップＳ４３）。ステップＳ４３の処理は、例えば、作業者によって第２電子機器２０の連携確認要求を受けた場合に、第１電子機器１０によって実行される。例えば、第１電子機器１０は、確認対象のエリア及び機器タイプが作業者によって指定されると、指定されたエリアを示す確認エリア情報及び指定された機器タイプを示す機器タイプ情報を作成してもよい。
【０１０７】
複数の第２電子機器２０は、第２通信部２２によって第１電子機器１０から確認エリア情報及び確認タイプ情報を受信し、受信した確認エリア情報及び確認タイプ情報を記憶部２１に記憶する（ステップＳ４４）。複数の第２電子機器２０は、記憶部２１に記憶しているエリア情報２１Ｂが第２通信部２２によって受信した確認エリア情報と一致するかを判定する（ステップＳ４５）。
【０１０８】
エリア情報２１Ｂが確認エリア情報と一致していないと判定した場合（ステップＳ４６：Ｎｏ）、確認対象のエリアが設定されていないため、複数の第２電子機器２０は、通知部２４による通知を行わずに、待機状態へ遷移する。
【０１０９】
エリア情報２１Ｂが確認エリア情報と一致していると判定した場合（ステップＳ４６：Ｙｅｓ）、複数の第２電子機器２０は、処理をステップＳ４７に進める。複数の第２電子機器２０は、記憶部２１に記憶しているタイプ情報２１Ｃが第２通信部２２によって受信した確認タイプ情報を含むかを判定する（ステップＳ４７）。
【０１１０】
タイプ情報２１Ｃが確認タイプ情報を含まないと判定した場合（ステップＳ４８：Ｎｏ）、確認対象の機器タイプが自機に設定されていないため、複数の第２電子機器２０は、通知部２４による通知を行わずに、待機状態へ遷移する。
【０１１１】
タイプ情報２１Ｃが確認タイプ情報を含むと判定した場合（ステップＳ４８：Ｙｅｓ）、複数の第２電子機器２０は、確認対象のエリア及び機器タイプが自機に設定されていることを通知部２４によって通知する（ステップＳ４９）。複数の第２電子機器２０は、通知部２４による通知が終了すると、待機状態へ遷移する。
【０１１２】
なお、図１６に示す連携確認手順は、例えば、メンテナンス時の連携確認であり、初期設定が終了している場合、空気調和システム１は、ステップＳ４３の処理手順から開始してもよい。
【０１１３】
以上のように、本実施の形態の空気調和システム１において、複数の第２電子機器２０のうち、確認対象のエリアに設けられ、かつタイプ情報２１Ｃが確認タイプ情報を含んでいる第２電子機器２０は、通知を行う。また、確認対象のエリアに設けられている第２電子機器２０は、タイプ情報２１Ｃが確認タイプ情報を含んでいない場合、通知を行わない。また、確認対象のエリアに設けられていない第２電子機器２０は、通知を行わない。これにより、作業者は、第２電子機器２０を設置したエリア毎に、確認対象の第２電子機器２０の機器タイプを指定することで、機器タイプに基づいて連携する第２電子機器２０を確認することができる。よって、空気調整システム１は、例えば、複数のエリアに跨がって複数の第２電子機器２０を設けている場合、エリア及び機器タイプの区分で一度に連携する第２電子機器２０を確認することができるため、確認作業の効率化に貢献することができる。
【０１１４】
実施の形態５に係る空気調和システム１は、実施の形態２と同様に、第１電子機器１０である操作端末１００と、第２電子機器２０である空気調和機２２１、空気調和機２２２、加湿器２２３、室温センサ２２４、室温センサ２２５及び湿度センサ２２６とを備えるように構成することができる。
【０１１５】
実施の形態５に係る空気調和システム１は、空気調和機２２１、空気調和機２２２、加湿器２２３、室温センサ２２４、室温センサ２２５及び湿度センサ２２６のメモリ２０２は、例えば、図３に示した連携関係を示す連携情報２１Ａ、エリア情報２１Ｂ及びタイプ情報２１Ｃを記憶している。
【０１１６】
例えば、空気調和システム１において、リビングの空気調和機２２１と連携している第２電子機器２０を確認する場合、作業者は、確認対象のエリアである「リビング」と、確認対象の機器タイプである「空気調和機」とを操作端末１００で指定して連携確認を要求すればよい。上記の図１１及び図１４に示す例では、加湿器２２３及び室温センサ２２４は、エリア情報２１Ｂが確認エリア情報と一致し、且つタイプ情報２１Ｃが確認タイプ情報を含むため、出力装置２０４によって通知を行う。また、空気調和機２２１、空気調和機２２２、室温センサ２２５及び湿度センサ２２６は、通知条件を満たさないため、出力装置２０４による通知は行わない。
【０１１７】
実施の形態６．
実施の形態２，３，４，５では、空気調和システム１は、空気調和機２２１、空気調和機２２２、加湿器２２３、室温センサ２２４、室温センサ２２５及び湿度センサ２２６のハードウェア構成で実現する場合について説明した。実施の形態６は、空気調和機２２１、空気調和機２２２、加湿器２２３、室温センサ２２４、室温センサ２２５及び湿度センサ２２６を異なるハードウェア構成で実現する場合の一例を示したものである。
【０１１８】
図１７は、本発明の実施の形態６に係る空気調和システム１の連携の一例を示す図である。図１７に示す空気調和システム１は、第１電子機器１０である操作端末１００と、第２電子機器２０である空気調和機２２１、空気調和機２２２、加湿器２２３、室温センサ２２４、室温センサ２２５及び湿度センサ２２６と、を備える。空気調和機２２１、空気調和機２２２、加湿器２２３、室温センサ２２４、室温センサ２２５及び湿度センサ２２６は、図６に示したハードウェア構成と同一である。
【０１１９】
空気調和機２２１、空気調和機２２２、加湿器２２３、室温センサ２２４、室温センサ２２５及び湿度センサ２２６の各々は、自機に装着されるアダプタ２７を備える。アダプタ２７は、第２電子機器２０の記憶部２１、第２通信部２２、判定部２３及び通知部２４の機能を実現する。本実施の形態では、空気調和機２２１、空気調和機２２２、加湿器２２３、室温センサ２２４、室温センサ２２５及び湿度センサ２２６は、アダプタ２７によって他の電子機器と通信を行う。
【０１２０】
図１８は、本発明の実施の形態６に係るアダプタ２７のハードウェア構成の一例を示す図である。アダプタ２７は、例えば、プロセッサ２７１と、ＲＡＭ、ＲＯＭなどで構成されるメモリ２７２と、通信装置２７３と、出力装置２７４と、機器通信装置２７５と、を備える。プロセッサ２７１、メモリ２７２、通信装置２７３、出力装置２７４及び機器通信装置２７５は、バス２７０に接続され、バス２７０を介してデータの受け渡しを相互に行うことが可能な構成となっている。
【０１２１】
アダプタ２７のプロセッサ２７１は、第２電子機器２０の判定部２３を実現する。判定部２３の機能は、ソフトウェア、ファームウェア、またはソフトウェアとファームウェアとの組み合わせにより実現される。ソフトウェア及びファームウェアは、プログラムとして記述され、メモリ２７２に記憶している。例えば、プロセッサ２７１は、メモリ２７２のプログラムを実行することにより、判定部２３の機能を実現する。メモリ２７２は、第２電子機器２０の記憶部２１を実現する。通信装置２７３は、第２電子機器２０の第２通信部２２を実現する。出力装置２７４は、第２電子機器２０の通知部２４を実現する。本実施の形態では、出力装置２７４は、作業者から視認可能なＬＥＤである場合について説明する。ＬＥＤである出力装置２７４は、点灯または点滅により、通知を行う。なお、出力装置２７４は、例えば、ＬＥＤ、液晶ディスプレイ及びブザーの少なくとも１つを含むように構成してもよい。
【０１２２】
機器通信装置２７５は、アダプタ２７が装着された第２電子機器２０の通信装置２０３との間でデータを送受信する。例えば、機器通信装置２７５は、通信装置２７３で受信したデータを電子機器の通信装置２０３へ出力する。例えば、機器通信装置２７５は、電子機器の通信装置２０３から入力されたデータをプロセッサ２７１へ出力する。例えば、プロセッサ２７１は、入力されたデータが送信要求である場合、要求されたデータを通信装置２７３に送信させる。
【０１２３】
なお、アダプタ２７は、複数のプロセッサおよび複数のメモリが連携して第２電子機器２０が備えている上記機能を実現するようにしてもよい。
【０１２４】
図１９は、本発明の実施の形態６に係るアダプタ２７のハードウェア構成の他の例を示す図である。図１８に示したアダプタ２７のハードウェアは、図１９に示すアダプタ２７の専用ハードウェアで実現してもよい。アダプタ２７の専用ハードウェアは、例えば、処理回路２８１と、通信装置２７３と、出力装置２７４と、機器通信装置２７５とを含む構成により実現することができる。処理回路２８１は、例えば、単一回路、複合回路、プログラム化したプロセッサ、並列プログラム化したプロセッサ、ＡＳＩＣ、ＦＰＧＡまたはこれらを組み合わせたものを含む。処理回路２８１、通信装置２７３、出力装置２７４は、バス２７０に接続され、バス２７０を介してデータの受け渡しを相互に行うことが可能な構成となっている。処理回路２８１は、メモリを内蔵している。処理回路２８１は、第２電子機器２０の記憶部２１及び判定部２３を実現する。なお、処理回路２８１は、例えば、通信装置２７３及び機器通信装置２７５を内蔵してもよいし、いずれか一方を内蔵してもよい。
【０１２５】
上述した図８に示す連携が設定されている空気調和システム１におけるアダプタ２７の動作の一例を以下に説明する。
【０１２６】
例えば、室温センサ２２４と連携する電子機器を探したい場合、作業者は、室温センサ２２４のアドレスである「ＡＤ２４」を指定して操作端末１００に連携確認を要求する。操作端末１００のプロセッサ１０１は、連携確認の要求を検出すると、「ＡＤ２４」を有する確認対象情報を作成する。また、プロセッサ１０１は、作成した確認対象情報を通信装置１０３によって空気調和機２２１、空気調和機２２２、加湿器２２３、室温センサ２２４、室温センサ２２５及び湿度センサ２２６のアダプタ２７に送信させる。
【０１２７】
空気調和機２２１、空気調和機２２２、加湿器２２３、室温センサ２２４、室温センサ２２５及び湿度センサ２２６のアダプタ２７のプロセッサ２７１は、通信装置２７３によって操作端末１００から確認対象情報を受信すると、受信した確認対象情報をメモリ２７２に記憶する。プロセッサ２７１は、メモリ２７２に記憶している連携情報２１Ａが確認対象情報を含むか否かを判定する。
【０１２８】
例えば、空気調和機２２１の連携情報２１Ａは「ＡＤ２４」を含み、他の連携情報２１Ａは「ＡＤ２４」を含んでいない。空気調和機２２１のアダプタ２７のプロセッサ２７１は、連携情報２１Ａが確認対象情報の「ＡＤ２４」を含むと判定し、自機と確認対象の室温センサ２２４との連携が設定されていることを出力装置２７４によって通知する。また、空気調和機２２２、加湿器２２３、室温センサ２２４、室温センサ２２５及び湿度センサ２２６のアダプタ２７のプロセッサ２７１は、連携情報２１Ａが確認対象情報の「ＡＤ２４」を含まないと判定し、出力装置２７４による通知を行わない。
【０１２９】
以上のように、空気調和システム１は、第２電子機器２０の機能をアダプタ２７で実現するようにしたので、既存の製品にアダプタ２７を装着することにより、既存の製品で本発明に係る第２電子機器２０の機能を実現することができる。よって、空気調和システム１は、既存の第２電子機器２０を有効利用して、複数の第２電子機器２０の連携組み合わせを容易に確認することができる。
【０１３０】
実施の形態６のアダプタ２７は、第２電子機器２０の記憶部２１、第２通信部２２、判定部２３及び通知部２４の機能を実現する場合について説明したが、一部の機能のみを実現してもよい。例えば、アダプタ２７は、記憶部２１、判定部２３及び通知部２４のみを実現し、第２通信部２２を第２電子機器２０の通信装置２０３で実現するように構成してもよい。
【０１３１】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【０１３２】
１  空気調和システム、１０  第１電子機器、１１  第１通信部、１２  制御部、２０  第２電子機器、２１  記憶部、２２  第２通信部、２３  判定部、２４  通知部、１０１，２０１，２７１  プロセッサ、１０２，２０２，２７２  メモリ、１０３，２０３，２７３  通信装置、１１１，２１１，２８１  処理回路、１１０，２１０，２７０  バス、２０４，２７４  出力装置、２７５  機器通信装置、２２１，２２２  空気調和機、２２３  加湿器、２２４，２２５  室温センサ、２２６  湿度センサ。
【図１】
2017149710.tif 000003
【図２】
2017149710.tif 000004
【図３】
2017149710.tif 000005
【図４】
2017149710.tif 000006
【図５】
2017149710.tif 000007
【図６】
2017149710.tif 000008
【図７】
2017149710.tif 000009
【図８】
2017149710.tif 000010
【図９】
2017149710.tif 000011
【図１０】
2017149710.tif 000012
【図１１】
2017149710.tif 000013
【図１２】
2017149710.tif 000014
【図１３】
2017149710.tif 000015
【図１４】
2017149710.tif 000016
【図１５】
2017149710.tif 000017
【図１６】
2017149710.tif 000018
【図１７】
2017149710.tif 000019
【図１８】
2017149710.tif 000020
【図１９】
2017149710.tif 000021
【国際調査報告】
2017149710.tif 000022
2017149710.tif 000023